(57)【要約】【課題】  ボールの落ち方が多様で遊戯性に優れたボール落し遊具を簡単に構築できるようにすること。【解決手段】  平面視略Ｖ字状の起立壁１を有する複数の起立体２ａ，２ｂ，２ｃ，２ｄ，２ｅ，２ｆを、起立壁の外側面で互いに当接させて塔状に形成してあり、起立体は、上部にボール入口３を、下部にボール出口４をそれぞれ備えるとともに、内部にボールが転がりながら落下するボール落し経路５ａ，５ｂを設けてあることを特徴とする。【選択図】      図１
2006246946.tif 000002
【特許請求の範囲】
【請求項１】
平面視略Ｖ字状の起立壁（１）を有する複数の起立体（２ａ，２ｂ，２ｃ，２ｄ，２ｅ，２ｆ）を、起立壁の外側面で互いに当接させて塔状に形成してあり、起立体は、上部にボール入口（３）を、下部にボール出口（４）をそれぞれ備えるとともに、内部にボール（１３）が転がりながら落下するボール落し経路（５ａ，５ｂ）を設けてあることを特徴とするボール落し遊具。
【請求項２】
各起立体の前面に取付けた樋（６）により、塔（７）の周囲に螺旋状のボール落し経路（５ｃ）を構成してあることを特徴とする請求項１記載のボール落し遊具。
【請求項３】
起立体を段ボールで形成してあることを特徴とする請求項１又は２記載のボール落し遊具。
【発明の詳細な説明】
【技術分野】
【０００１】
本発明は、複数のボール落し経路をボールが転がり落ちる様子を見て楽しむボール落し遊具に関するものである。
【背景技術】
【０００２】
子供用の遊具として、立体的に形成したボール落し経路にボールを転がし、その様子を見て楽しめるようにしたものがある（例えば特許文献１、２参照。）。かかる遊具は、ボールの落ち方に変化を持たせて、子供が飽きないようにすることが好ましい。従来のものは、複数のボール落し経路を複雑に構成しようとすると、製作が難しくなってコスト高となる問題があった。
【特許文献１】特表２００２−５３６１３９号公報
【特許文献２】特開２００３−１３５８３８号公報
【発明の開示】
【発明が解決しようとする課題】
【０００３】
本発明は以上に述べた実情に鑑みてなされたものであって、ボールの落ち方が多様で遊戯性に優れたボール落し遊具を簡単に構築できるようにすることを目的とする。
【課題を解決するための手段】
【０００４】
上記の課題を達成するために、請求項１記載の発明によるボール落し遊具は、平面視略Ｖ字状の起立壁を有する複数の起立体を、起立壁の外側面で互いに当接させて塔状に形成してあり、起立体は、上部にボール入口を、下部にボール出口をそれぞれ備えるとともに、内部にボールが転がりながら落下するボール落し経路を設けてあることを特徴とする。起立体の内部に設けるボール落し経路の形態は種々考えられ、例えば上下方向に間隔をおいて邪魔板を前後や左右から互い違いに設け、ボールが邪魔板の上を転がって順次落下するようにしてもよいし、シーソーを上下方向に間隔をおいて複数設け、ボールがシーソーの上を転がりながら順次落下するようにしてもよい。またボール経路は、一つの起立体の内部に収まるように設けてもよいし、複数の起立体の内部に跨って設けることもできる。
【０００５】
さらに請求項２記載の発明によるボール落し遊具は、各起立体の前面に取付けた樋により、塔の周囲に螺旋状のボール落し経路を構成してあることを特徴とする。
【０００６】
請求項３記載の発明によるボール落し遊具は、起立体を段ボールで形成してあることを特徴とする。
【発明の効果】
【０００７】
請求項１記載の発明によるボール落し遊具は、平面視略Ｖ字状の起立壁を有する複数の起立体を、起立壁の外側面で互いに当接させて塔状に形成してあり、起立体は、上部にボール入口を、下部にボール出口をそれぞれ備えるとともに、内部にボールが転がりながら落下するボール落し経路を設けたものであるので、起立体内部にボール落し経路を形成するのが容易であり、複数の起立体を組み合わせることで複数のボール経路が容易に形成でき、しかもボール落し経路の形態を起立体ごとに違わせることも容易であることから、遊戯性に優れたボール落し遊具を簡単に構築できる。また、起立体ごとに分解できるので運搬が容易である。
【０００８】
さらに請求項２記載の発明のように、各起立体の前面に取付けた樋により、塔の周囲に螺旋状のボール落し経路を構成したものであれば、起立体上部のボール入口に入らなかったボールが、塔の周囲の螺旋状のボール落し経路を転がり落ちることとなり、面白味が倍増する。
【０００９】
請求項３記載の発明のように、起立体を段ボールで形成したものであれば、各パーツの製作、組立が容易であり、大型の遊具でも安価に提供することができ、しかも軽量で運搬が容易である。
【発明を実施するための最良の形態】
【００１０】
以下、本発明の実施の形態を図面に基づいて説明する。図１から図７は、本発明のボール落し遊具の一実施形態を示している。このボール落し遊具は、図１に示すように、平面視略Ｖ字状の起立壁１を有する三角柱形の６個の起立体２ａ，２ｂ，２ｃ，２ｄ，２ｅ，２ｆを、起立壁１の外側面が互いに当接するように寄せ集めて、六角柱形の塔状に形成してある。塔７の高さは約１．２ｍあり、塔７の上面に衝立板１６を取付けてある。なおこのボール落し遊具は、すべてのパーツが段ボールで作ってあり、パーツ同士の接合（例えば樋６の取付け）には樹脂製のリベットを使用している。
【００１１】
起立体２ａ，２ｂ，２ｃ，２ｄ，２ｅ，２ｆは、図２に示すように、長方形の段ボールを中央で縦に二つに曲げてＶ字状の起立壁１を形成し、起立壁の両側縁部を内側に折り返して、前面に帯状の柱部８，８を形成してある。起立体２ａ，２ｂ，２ｃ，２ｄ，２ｅ，２ｆの上面には、三角形の天板９を取付けてある。天板９は、中央部に丸孔状のボール入り口３を設けてあり、且つ中央で縦に折り目を付けることにより、左右方向の中央部をへこませてある。起立体２ａ，２ｂ，２ｃ，２ｄ，２ｅ，２ｆの下面には、三角形の底板１０を取付けてある。底板１０は、立体的な曲げ加工により、手前側の中央部に山部１１を形成し、その両側に谷部４を形成してあり、落ちてきたボール１３が底板の谷部４に溜まる。図中の符号１４は、底板１０の前部を囲う囲い板である。起立壁１の上縁部には切り欠き１５が設けてあり、図１に示すように、衝立板１６の下端部に形成した差込み片１７を該切り欠き１５に差し込んで、衝立板１６を塔７の上面に取付けている。
【００１２】
起立体２ａ，２ｂ，２ｃ，２ｄ，２ｅ，２ｆの内部には、天板９のボール入り口３に入ったボール１３が転がりながら落下するボール落し経路を設けてある。本実施形態のものでは、図４に示すように、２種類の形態のボール落し経路５ａ，５ｂを形成してある。まず起立体２ａと２ｄの内部のボール落し経路５ａは、図５に示すように、上下方向に間隔をおいて、起立壁１の内側の空間の前部と後部に傾斜した邪魔板１８を互い違いに設けてある。さらに、起立体２ａ，２ｂ内の下部には、塔７の中心部に向けて傾斜した傾斜板２３を取付けてあり、起立壁の下部に切り欠きを設けて塔７の中心部にボール落下部２４を形成してある。ボール入り口３から起立体内に落下したボール１３は、邪魔板１８の上を前後方向に転がりながら順次落下し、傾斜板２３を転がって塔中央部に形成したボール落下部２４より底板１０上に落下し、複数の底板１０のうちの何れかの谷部４に転がる。
【００１３】
起立体２ｂと２ｃ、２ｅと２ｆの内部には、図６に示すように、上下方向に間隔をおいて設けた複数のシーソー１９からなるボール落し経路５ｂを設けてある。シーソー１９は、帯状の段ボールの長手方向の両側部を上向きに折り曲げて溝状に形成され、前面と後面に円形の支持板２０を取付けてある。支持板２０は、下側に扇形の切り欠き２１を設けてある。シーソー１９は、起立壁１に形成した抜き孔２２に挿通し、支持板の切り欠き２１を抜き孔２２の下縁に引っ掛けて、二つの起立体内部に跨って且つ一定の角度範囲で揺動可能に設けてある。またシーソー１９は、支点からの長さが左右で異なっており、通常時は図６の実線で示すように、長い方を上にして若干傾斜しており、シーソー１９の上にボール１３が乗って低い方に転がり、支点の反対側の方が重くなると、図６の二点鎖線で示すようにシーソー１９が傾いてボール１３が落ち、ボール１３が落ちるとシーソー１９は元の角度に戻る。このようにボール１３は、シーソー１９の上を転がって二つの起立体の内部を左右に移動し、複数のシーソー１９を順次傾かせながら落下する。三つ目のシーソー１９の下には、塔７の中心部に向けて傾斜した傾斜板２３を取付け、起立壁の下部に切り欠きを設けて塔７の中心部にボール落下部２４を設けてあり、シーソー１９から落下したボール１３は傾斜板２３により塔中心部のボール落下部２４に集められ、そこから底板１０上に落下して、複数の底板１０うちの何れかの谷部４に転がる。
【００１４】
さらに起立体２ａ，２ｂ，２ｃ，２ｄ，２ｅ，２ｆの前面には、段ボールを折り曲げて形成した樋６が、図１に示すように、上下方向に一定の間隔をおいて、且つ僅かに傾斜する状態で取付けてある。樋６は、両端部が隣の起立体に取付けた樋６と連続し、全体としては塔７の周りを周回する螺旋状に設けてある。
【００１５】
本ボール落し遊具は以上のように構成され、図７に示すように、塔７のまわりから子供らが塔上部の衝立板１６を目がけてボール１３を投げると、そのうちいくつかのボール１３は、六つのボール入り口３の何れかより起立体２ａ，２ｂ，２ｃ，２ｄ，２ｅ，２ｆの中に入り、起立体内部に設けた二種類のボール落し経路５ａ，５ｂをボール１３が転がり落ちる様子を見ることができ、大いに楽しめる。さらにボール入り口３に入らなかったボール１３は、起立体の前面に取付けた樋６からなる螺旋状のボール落し経路５ｃに乗って、塔７の周りを周回しながら転がり落ちるから、面白味が倍増するものである。また本ボール落し遊具は、段ボール製で軽量である上に、６個の起立体２ａ，２ｂ，２ｃ，２ｄ，２ｅ，２ｆに分かれるので、運搬が容易である。
【００１６】
本発明は、以上に述べた実施形態に限定されない。起立体内部に設けるボール落し経路は、工夫次第でどのように構成してもよい。各パーツの材質は段ボールに限ったものではなく、樹脂や木、アルミ等の板を用いてもよい。塔の形態は六角柱形のものに限ったものではなく、例えば４個の起立体を寄せ集めて四角柱形としてもよい。
【図面の簡単な説明】
【００１７】
【図１】本発明のボール落し遊具の一実施形態を示す一部分解した状態での斜視図である。
【図２】起立体の分解斜視図である。
【図３】本発明のボール落し遊具の一実施形態を示す平面図である。
【図４】本発明のボール落し遊具の一実施形態を示す横断面図である。
【図５】図４におけるＡ−Ａ断面図である。
【図６】図４におけるＢ−Ｂ断面図である。
【図７】本発明に係るボール落し遊具の使用状態を示す斜視図である。
【符号の説明】
【００１８】
１  起立壁
２ａ，２ｂ，２ｃ，２ｄ，２ｅ，２ｆ  起立体
３  ボール入り口
４  谷部（ボール出口）
５ａ，５ｂ，５ｃ  ボール落し経路
６  樋
７  塔
【図１】
2006246946.tif 000003
【図２】
2006246946.tif 000004
【図３】
2006246946.tif 000005
【図４】
2006246946.tif 000006
【図５】
2006246946.tif 000007
【図６】
2006246946.tif 000008
【図７】
2006246946.tif 000009